(57)【要約】【課題】  膜性能の向上を図った脱水システム及び脱水方法を提供する。【解決手段】  第一の予熱器３ａと、該予熱器の後段に直列に接続された、有機水溶液から水を分離する複数の脱水装置１ａ、１ｂ、１ｃと、一以上の脱水装置を経た有機水溶液の一部を、該脱水装置、または該脱水装置の前段の脱水装置に返送する返送手段６とを含んでなる脱水システムであって、前記水分離膜が、シリカ系又はゼオライト系の無機水分離膜である、脱水システム。【選択図】  図１
2013240795.tif 000002
【特許請求の範囲】
【請求項１】
第一の予熱器と、
該予熱器の後段に直列に接続された、有機水溶液から水を分離する複数の脱水装置であって、脱水装置本体内に、有機水溶液を通すための上下に延びる一以上の流路を有する水分離膜の下部に有機水溶液入口を、上部に有機水溶液出口を有してなる水分離膜部と、該水分離膜部の外側面と、装置本体内壁とで規定されるシェル部とを備え、該有機水溶液が該水分離膜を上昇するにつれて、該有機水溶液中の水分が、該水分離膜を透過してシェル部に移動し、該有機水溶液が脱水される脱水装置と、
一以上の脱水装置を経た有機水溶液の一部を、該脱水装置、または該脱水装置の前段の脱水装置に返送する返送手段と、
該返送手段により返送された有機水溶液を脱水装置に供給する前に予熱する第二の予熱器と
を含んでなる脱水システムであって、
前記水分離膜が、シリカ系又はゼオライト系の無機水分離膜である、脱水システム。
【請求項２】
前記返送手段が、最後段の脱水装置を経た有機水溶液の一部を、最前段の脱水装置に返送する手段であり、前記第一の予熱器が前記第二の予熱器を兼ねる、請求項１に記載の脱水システム。
【請求項３】
前記直列に接続される脱水装置が三以上であり、前記返送手段が、最後段の脱水装置を経た有機水溶液の一部を、最前段以降の脱水装置に返送する手段であり、前記第二の予熱器が、該最前段以降の脱水装置の前段に設置されている、請求項１に記載の脱水システム。
【請求項４】
前記直列に接続される脱水装置が三以上であり、前記返送手段が、最後段以前の脱水装置を経た有機水溶液の一部を、最前段以降の脱水装置に返送する手段であり、前記第二の予熱器が、該最前段以降の脱水装置の前段に設置されており、かつ、前記最後段以前の脱水装置が、前記最前段以降の脱水装置よりも後段にある、請求項１に記載の脱水システム。
【請求項５】
有機水溶液を通すための上下に延びる一以上の流路を有する水分離膜の下部入口から上部出口に向けて予熱された有機水溶液を流し、該水分離膜の外側を減圧して、該有機水溶液中の水分を水分離膜に透過させる水分離工程を含む脱水方法であって、
一回以上の水分離工程を経た有機水溶液の少なくとも一部を、該有機水溶液より少ない回数の水分離工程を経た有機水溶液又は未処理の有機水溶液と混合する工程と、
混合された有機水溶液を予熱する工程と、
予熱された有機水溶液を再度水分離工程に供する工程と
を含む脱水方法であって、
前記水分離膜が、シリカ系又はゼオライト系の無機水分離膜であり、
前記混合する工程におけるリサイクル比が、１〜５である、脱水方法。
【発明の詳細な説明】
【技術分野】
【０００１】
本発明は、脱水システム及び脱水方法に関する。さらに詳しくは、水との共沸組成を持つエタノールやプロパノールと水との混合物、あるいは酸と水との混合物などの有機水溶液を効率的に脱水することができる脱水システム及び脱水方法に関する。
【背景技術】
【０００２】
石油燃料を代替する燃料源として、エタノールが注目されており、その市場規模は、２０１０年に５５００万キロリットルと予測されている。しかし、エタノールを燃料として採用するためには、トウモロコシ等のバイオ原料から得た粗製物を蒸留精製し、少なくとも９９．７ｗｔ％以上に脱水しなければならない。従来、脱水にあたっては、希薄エタノール水溶液を、蒸留塔で蒸留することにより、エタノール／水系の共沸点近くまで濃縮し、次いで脱水するといったことが行われている。
【０００３】
脱水するための手法としては、エントレーナを加え、共沸蒸留で脱水する方法がある。しかし、この方法では、三成分系を共沸蒸留し、さらにエントレーナを回収するといった工程を踏む必要があり、多大の熱エネルギーを必要とするといったような幾つかの欠点があった。
【０００４】
また、モレキュラーシーブ槽を複数並列し、これらをバッチ切替しながら脱水する方法もある。しかし、この方法でも、モレキュラーシーブ槽の再生に多大なエネルギーを消費するという難点があった。
【０００５】
さらに、膜分離器を用いたパーベーパレーション法膜分離により、完全に相互溶解する液体混合物から水を分離する方法が知られている。また、ベーパーパーミエーション法とパーベーパレーション法とを組み合わせ、複数の分離器を直列に配置し、中間段で熱を補うことにより、熱エネルギーを抑制する水溶性有機物の濃縮方法も知られている（特許文献１を参照）。
【先行技術文献】
【特許文献】
【０００６】
【特許文献１】特開２００５−１７７５３５号公報
【発明の概要】
【発明が解決しようとする課題】
【０００７】
パーベーパレーション法膜分離は、エタノール燃料等の精製において有望な方法であるが、実用化に向けて、さらなる性能が求められている。特に、高純度のエタノール無水物等をさらに高い効率で得ることが求められている。
【課題を解決するための手段】
【０００８】
本発明者らは、チューブラ型またはモノリス型の水分離膜を備えた脱水装置を用いてパーベーパレーション法膜分離を行った場合に、処理対象となる有機水溶液が、水分離膜の入口から出口に向かうにつれて、有機水溶液の温度が低下することを見出した。これは、有機水溶液が水分離膜を通過して気体となる際の潜熱が、処理対象となる有機水溶液から奪われていくためである。図８に、水分離膜反応器の膜入口からの距離と、温度との関係を示す。有機水溶液温度の低下は、水分離膜の膜性能を表す透過フラックス（単位はｋｇ／ｍ２ｈ）の低下につながる。
【０００９】
このため、複数の脱水装置を直列に接続し、各脱水装置の前段に予熱器を配置して、熱を補う方法をとることが考えられる。図９に、三段の脱水装置１００ａ、１００ｂ、１００ｃを設け、各脱水装置の前段に予熱器３００ａ、３００ｂ、３００ｃを配置した脱水システムの模式図を示す。この場合、図１０に示すように、一段目より二段目、二段目より三段目における温度低下幅は小さくなる。
【００１０】
本発明者らは、水分離膜を備えた脱水装置の実用化に向けて、更なる水分離性能を備え、エネルギー消費が少ないシステムの構築を試み、本発明を完成するに至った。本発明は、脱水システムであって、第一の予熱器と、該予熱器の後段に直列に接続された、有機水溶液から水を分離する複数の脱水装置であって、脱水装置本体内に、有機水溶液を通すための上下に延びる一以上の流路を有する水分離膜の下部に有機水溶液入口を、上部に有機水溶液出口を有してなる水分離膜部と、該水分離膜部の外側面と、装置本体内壁とで規定されるシェル部とを備え、該有機水溶液が該水分離膜を上昇するにつれて、該有機水溶液中の水分が、該水分離膜を透過してシェル部に移動し、該有機水溶液が脱水される脱水装置と、一以上の脱水装置を経た有機水溶液の一部を、該脱水装置、または該脱水装置の前段の脱水装置に返送する返送手段と、該返送手段により返送された有機水溶液を脱水装置に供給する前に予熱する第二の予熱器とを含んでなる。
【００１１】
本発明の脱水システムは、一実施の形態によれば、前記返送手段が、最後段の脱水装置を経た有機水溶液の一部を、最前段の脱水装置に返送する手段であり、前記第一の予熱器が前記第二の予熱器を兼ねることが好ましい。
【００１２】
本発明の脱水システムは、別の実施の形態によれば、前記返送手段が、最後段の脱水装置を経た有機水溶液の一部を、最前段以降の脱水装置に返送する手段であり、前記第二の予熱器が、該最前段以降の脱水装置の前段に設置されていることが好ましい。かかる実施形態において、直列に接続される脱水装置は三以上である。
【００１３】
本発明の脱水システムは、また別の実施の形態によれば、前記返送手段が、最後段以前の脱水装置を経た有機水溶液の一部を、最前段以降の脱水装置に返送する手段であり、前記第二の予熱器が、該最前段以降の脱水装置の前段に設置されていることが好ましい。かかる実施形態において、直列に接続される脱水装置は三以上であり、前記最後段以前の脱水装置は、前記最前段以降の脱水装置よりも、後段に配置される。
【００１４】
本発明の脱水システムは、他の形態においては、有機水溶液を予熱する予熱器と、予熱された有機水溶液から水を分離する脱水装置であって、脱水装置本体内に、有機水溶液を通すための上下に延びる一以上の流路を有する水分離膜の下部に有機水溶液入口を、上部に有機水溶液出口を有してなる水分離膜部と、該水分離膜部の外側面と、装置本体内壁とで規定されるシェル部とを備え、該有機水溶液が該水分離膜を上昇するにつれて、該有機水溶液中の水分が、該水分離膜を透過してシェル部に移動し、該有機水溶液が脱水される脱水装置と、該脱水装置を経た有機水溶液の一部を、該予熱器の前段に返送する返送手段とを含んでなる。
【００１５】
本発明は、別の側面で、脱水方法であって、有機水溶液を通すための上下に延びる一以上の流路を有する水分離膜の下部入口から上部出口に向けて予熱された有機水溶液を流し、該水分離膜の外側を減圧して、該有機水溶液中の水分を水分離膜に透過させる水分離工程を含み、一回以上の水分離工程を経た有機水溶液の少なくとも一部を、該有機水溶液より少ない回数の水分離工程を経た有機水溶液又は未処理の有機水溶液と混合する工程と、混合された有機水溶液を予熱する工程と、予熱された有機水溶液を再度水分離工程に供する工程とを含む。
【発明の効果】
【００１６】
本発明によれば、水分離性能が向上し、かつ全体としてエネルギー効率の高い脱水システムが得られる。具体的には、本発明の上記構成により、各脱水装置内における有機水溶液の温度を一定に保ち、装置内における有機水溶液の流速を大きくすることができる。また、システムの簡略化を計ることが可能となる。
【図面の簡単な説明】
【００１７】
【図１】本発明に係る脱水システムの第一実施形態を説明する概念図である。
【図２】本発明に係る脱水装置の一実施の形態を説明する概念図である。
【図３】本発明に係る水分離膜部の一実施の形態を説明する概念図である。
【図４】本発明に係る水分離膜部の他の実施の形態を説明する概念図である。
【図５】本発明に係る脱水システムの第二実施形態を説明する概念図である。
【図６】本発明に係る脱水システムの第三実施形態を説明する概念図である。
【図７】本発明に係る脱水システムの第四実施形態を説明する概念図である。
【図８】水分離膜の入口から出口までの有機水溶液の温度分布を示すグラフである。
【図９】本発明ではない脱水システムを説明する概念図である。
【図１０】図９に示す脱水システムにおける、膜長さと温度との関係を示すグラフである。
【発明を実施するための形態】
【００１８】
以下に、本発明に係る脱水システム及び脱水方法について、その実施の形態を参照しながらさらに詳細に説明する。以下の実施形態においては、特定の数の脱水装置を備える脱水システムについて例示するが、本発明は特定の数の脱水装置に限定されるものではない。
【００１９】
図１に、本発明に係る脱水システムの第一実施形態を示す。
図１に示す脱水システムは、主たる構成要素として、三つの脱水装置１ａ、１ｂ、１ｃと、原料ポンプ２と、予熱器３と、冷却器４と、リサイクルポンプ５を備える返送手段６とから構成される。
【００２０】
図１に示す脱水システムにおいて、図示しない原料供給装置の後段に原料ポンプ２が配置され、原料ポンプ２の後段には予熱器３が配置される。予熱器３の後段には第一段の脱水装置１ａが配置される。第一段の脱水装置１ａ、第二段の脱水装置１ｂ、第三段の脱水装置１ｃは、直列に接続される。これらの間には予熱器は配置されない。第三段の脱水装置１ｃの後段で、第三段の脱水装置１ｃから引き出される管は二つに分岐している。一方の管の後段には、冷却器４が配置される。もう一方の管は、返送手段６を構成する。返送手段は、原料ポンプ２と予熱器３とを接続する管に接続される。返送手段６には、リサイクルポンプ５が設置されている。
【００２１】
三つの脱水装置１ａ、１ｂ、１ｃは、いずれも、水分離膜を用いて、パーベーパレーション法により、有機水溶液から水を分離する装置である。ここで、有機水溶液とは、水と相互溶解する液体と、水との混合物をいう。水と相互溶解する液体としては、エタノール、メタノール、イソプロピルアルコール、または酢酸などの酸、アセトン等のケトンが挙げられるが、これらには限定されない。このような脱水装置１ａ、１ｂ、１ｃは、典型的には、脱水装置本体内に、有機水溶液を通すための上下に延びる一以上の流路を有する水分離膜の下部に有機水溶液入口を、上部に有機水溶液出口を有してなる水分離膜部と、該水分離膜部の外側面と、装置本体内壁とで規定されるシェル部とを備え、該有機水溶液の入口付近の該シェル部に減圧手段との接続口が設けられ、該有機水溶液が該水分離膜を上昇するにつれて、該有機水溶液中の水分が、該水分離膜を透過してシェル部に移動し、該有機水溶液が脱水されるものである。
【００２２】
図２に、脱水装置１ａ、１ｂ、１ｃとして用いることができる装置の例を挙げて説明する。図２（Ａ）は、脱水装置１の概念的な断面図であり、図２（Ｂ）は、図１ＡのＡ−Ａにおける断面である。図２に示す脱水装置１は、主たる構成要素として、脱水装置１本体内に、水分離膜部１０と、シェル部１１と、真空ダクト１４とを備え、脱水装置本体には減圧装置１３が接続される。
【００２３】
水分離膜部１０は、水分離膜１０ｄから構成されており、有機水溶液の入口１０ａが下端に、出口１０ｂが上端にあって、その内部には有機水溶液の流路１０ｃとして、有機水溶液を通すための上下に延びる一以上の中空部が形成されている。シェル部１１は、水分離膜部１０の側面の周囲に位置する。シェル部１１の下方であって、有機水溶液の入口１０ａ付近には、真空ダクト１４が設けられている。真空ダクト１４は減圧装置１３に接続されている。
【００２４】
水分離膜部１０は、有機水溶液を無水物と水とに分離する。かかる水分離膜部１０としては、様々な形態のものが知られており、市販されている。本実施形態による水分離膜部としては、一例として、モノリス型のものと、チューブラ型の水分離膜部を用いることができる。
【００２５】
図３Ａおよび図３Ｂにモノリス型の水分離膜部１１０の例を挙げて説明する。図３Ｂは、図３ＡのＢ−Ｂにおける断面である。モノリス型の水分離膜部は、円柱状の水分離膜１１０ｄに有機水溶液を通すための上下に延びる一以上の中空部である有機水溶液の流路１１０ｃを複数設けたものである。通常、かかる形態の水分離膜においては、水分離膜内部の有機水溶液の流路１１０ｃを、膜の一次側、または供給側といい、水分離膜１１０ｄの外側を、膜の二次側、または透過側とよぶ。
【００２６】
このような水分離膜部を用いたパーベーパレーション法膜分離においては、水分離膜部１１０を、好ましくは流路の方向が鉛直方向と平行になるように設置する。そして、水分離膜部１１０の透過側を減圧しながら、鉛直方向下側の入口１１０ａから有機水溶液を供給し、重力と逆の向きに流して、鉛直方向上側の出口１１０ｂから有機水溶液を排出する。かかる操作により、有機水溶液中の水が、水蒸気となって、円柱状の水分離膜１１０ｄの側面から、透過側に引き抜かれる。その結果、水分離膜部出口１１０ｂから回収される有機水溶液は、脱水されたものとなっている。
【００２７】
図示したモノリス型の水分離膜部１１０は、概略的なものであるが、一例として、直径が３０ｍｍの円柱状の水分離膜に対して、直径が３ｍｍの穴を３０個設けた水分離膜部を用いることができる。別の例として、直径が１５０〜２００ｍｍの水分離膜部に対して、直径が２ｍｍの穴を２００個設けた水分離膜部を用いることができる。水分離膜部の長さは、所望の膜性能に応じて当業者が適宜決定することができるが、一例として、１５０ｍｍから１ｍのものを用いることができる。
【００２８】
別の例として、図４Ａおよび図４Ｂにチューブラ型の水分離膜部を挙げて説明する。図４Ｂは、図４ＡのＣ−Ｃにおける断面である。チューブラ型の水分離膜部２１０は、内部に有機水溶液の流路２１０ｃがひとつだけ設けられた管状の水分離膜２１０ｄである。チューブラ型の水分離膜部２１０も、その設置態様および作用効果は、モノリス型の水分離膜部と同様である。チューブラ型の水分離膜部の一例としては、外径が１０ｍｍ、内径が７ｍｍのものを用いることができ、別の例としては、外径が３０ｍｍ、内径が２２ｍｍのものを用いることができる。長さは、一例として、１５０ｍｍから１ｍのものを用いることができる。
【００２９】
水分離膜部を構成する水分離膜の材質としては、無機材でナノオーダーまたはそれより小さい孔径が精密に制御された微細孔多孔膜を用いることができる。微細孔多孔膜は、小分子ガスを通し、大分子ガスを排除する分子ふるい効果を発現し、その透過係数は温度上昇とともに増加する活性化拡散の挙動を示す。微細孔多孔膜の例としては、炭素膜、シリカ膜、ゼオライト膜が挙げられる。本実施形態においては、水分離膜としては、細孔径１０オングストローム以下のシリカ系又はゼオライト系の無機水分離膜が好適である。
【００３０】
また、特許第２８０８４７９号記載の無機水分離膜も適用可能である。該特許第２８０８４７９号の無機水分離膜は、無機多孔体の細孔内に、エトキシ基又はメトキシ基を含むアルコキシシランの加水分解を経て得られたシリカゲルを担持することによって得られる耐酸性複合分離膜である。
【００３１】
水分離膜部の形態、サイズ、および材質は、使用目的に応じて当業者が適宜選択することができる。
【００３２】
シェル部１１は、水分離膜部１０の周囲にあって、水分離膜の透過側にあたり、水分離膜部１０の側面から放出される水蒸気５１の流路となる部分である。図示する脱水装置１において、シェル部１１は、水分離膜部１０の側面と、脱水装置１本体の内壁とにより規定される空間部分である。シェル部１１は、水分離膜部１０に供給する前の有機水溶液、または水分離膜部１０から排出される有機水溶液が流れ込むことがないように構成されている。
【００３３】
シェル部１１の下方であって、水分離膜部１０の入口１０ａ付近には、真空ダクト１４が設けられる。真空ダクト１４は、減圧装置１３に接続するための接続口となる。真空ダクト１４から、シェル部１１に放出された水蒸気５１を回収する。真空ダクト１４は、図示するように横向きに設けられてもよく、鉛直方向下向きに設けられてもよく、その向きが限定されるものではない。
【００３４】
減圧装置１３は、シェル部１１を減圧して、水分離膜部１０から放出された水蒸気を吸引する手段である。圧力を、１０〜１００ｔｏｒｒ（１３３３．２２〜１３３３２．２Ｐａ）程度にまで減圧するものであればよく、通常の減圧ポンプ等を用いることができる。
【００３５】
本実施形態では、説明を簡単にするため、一つの水分離膜部１０を備える脱水装置１の形態を図示したが、本発明にかかる脱水装置は、脱水装置本体内に複数の水分離膜部を並列に接続して備えるものであってもよい。脱水装置本体内に複数の水分離膜部を並列に接続して設けることにより、一つの脱水装置にて一度に処理する有機水溶液の量を増やすことができる。
【００３６】
上記のような機能を備える脱水装置であれば、本実施形態にかかる脱水システムにおいて用いることができる。三つの脱水装置１ａ、１ｂ、１ｃは、全て同一の脱水装置でもよく、一部が異なる脱水装置でもよい。例えば、チューブラ型の水分離膜を備える脱水装置と、モノリス型の水分離膜を備える脱水装置とを交互に配置することもできる。
【００３７】
原料ポンプ２は、例えば、ダイヤフラム式、遠心式、プランジャー式の仕様のものを用いることができるが、これらには限定されない。
【００３８】
脱水装置１ａの前段に配置される予熱器３は、脱水装置１ａに供給される有機水溶液を加熱することができるものであればよく、通常の熱交換器やヒータを用いることができる。特には、原料の有機水溶液５０とリサイクル有機水溶液５３とを混合した有機水溶液５４を、その共沸点に近い温度であるが、共沸点以下の温度にまで加熱することができるものが用いられる。
【００３９】
脱水装置１ｃの後段に配置される冷却器４は、脱水装置１ｃを経て、水分が低減した高温の有機水溶液を常温にまで冷却することができるものであればよく、通常の熱交換器を用いることができる。
【００４０】
返送手段６は、脱水装置１ｃを経た高温の有機水溶液の一部を、脱水装置１ｃの前段に返送する手段であり、典型的には、管である。返送手段６は、原料ポンプ２と予熱器３とのあいだに接続される。リサイクルポンプ５は、返送手段６の一部を構成するものである。原料ポンプと同様のものを用いることができる。
【００４１】
このような構成を備える脱水システムは、有機水溶液から効率良く水を分離し、有機水溶液を凝縮することができる。次に、そのような本実施の形態に係る脱水装置システムにより有機水溶液を脱水する方法の一形態を説明する。
【００４２】
第一実施形態にかかる脱水方法は、有機水溶液を通すための上下に延びる一以上の流路を有する水分離膜の下部入口から上部出口に向けて予熱された有機水溶液を流し、該水分離膜の外側を減圧して、該有機水溶液中の水分を水分離膜に透過させる水分離工程を含む脱水方法であって、三回の水分離工程を経た有機水溶液の一部を、未処理の有機水溶液と混合する工程と、混合された有機水溶液を予熱する工程と、予熱された有機水溶液を再度、少なくとも三回の水分離工程に供する工程とを含む。
【００４３】
本実施の形態に係る脱水方法の対象とする有機水溶液は、一般的には、水と相互溶解する液体と、水との混合物である有機水溶液である。具体的には、エタノールと水との混合物、プロパノールと水との混合物、イソプロピルアルコールと水との混合物、又は酢酸などの酸と水との混合物が挙げられる。本実施形態にかかる方法によれば、これらを、例えば燃料用途に好適な９９．７％の無水物にまで脱水し、または半導体基板洗浄用途の９９．９９％以上にまで脱水する。有機水溶液は、原料となる混合物を、蒸留塔やアルコール選択膜で処理して、アルコールまたは酸の濃度を、８０〜９５ｗｔ％としたものである。なお、処理対象となる有機水溶液は、加圧した有機水溶液であってもよい。加圧した有機水溶液を用いることで、本実施の形態に係る脱水装置１に供給する有機水溶液をガス化させることなく、有機水溶液の温度を上げることができる。この場合、例えば、１．５ａｔｍから１０ａｔｍ、好ましくは２ａｔｍから３ａｔｍに加圧した有機水溶液を用いることができる。
【００４４】
以下、燃料として有用なエタノールと水との混合物を有機水溶液の一例として脱水方法を説明する。本実施の形態に係る原料におけるエタノール濃度は、好ましくは、９５ｗｔ％である。９５ｗｔ％のエタノールと、５ｗｔ％の水との混合物である原料の有機水溶液５０は、原料ポンプ２により、図示しない供給元より搬送される。原料の有機水溶液５０は、予熱器３の前段で、返送手段６からのリサイクル有機水溶液５３と混合される。
【００４５】
リサイクル有機水溶液５３は、リサイクル比にもよるが、一般に、約９９〜９９．７ｗｔ％のエタノールと、約０．３〜１ｗｔ％の水との混合物である。また、リサイクル有機水溶液５３の温度は、リサイクル比にもよるが、リサイクル比が約１〜５のときは、約６５〜７８℃付近である。ここで、リサイクル比とは、原料の有機水溶液５０に対する、リサイクル有機水溶液５３の比率をいう。リサイクル比を上げることで、各脱水装置１ａ、１ｂ、１ｃの出口における有機水溶液の温度を上げることができ、製品５２中のエタノール濃度を上げることができる。一方、リサイクル比を上げるためには、リサイクルポンプ５の動力を要するため、必要以上にリサイクル比を上げることはエネルギーのロスが大きくなる場合がある。したがって、リサイクル比は、所望の製品５２濃度、各脱水装置１ａ、１ｂ、１ｃの出口における有機水溶液温度、及び全体のエネルギー効率から、当業者が適宜決定することができる。リサイクル比は、例えば、１〜５とすることができるが、これらには限定されない。
【００４６】
混合された有機水溶液５４は、予熱器３で昇温する。昇温後の有機水溶液の温度は、エタノールと水との共沸点に近いが共沸点（約８０℃）未満である７０℃から８０℃未満とすることが好ましい。有機水溶液の温度が高いほど、透過フラックスが大きくなり、膜性能が上がるいっぽうで、共沸点より高い温度では、有機水溶液の一部が気化し、蒸発潜熱を奪うためである。予熱器３で昇温した有機水溶液は、第一段の脱水装置１ａに、水分離膜部１０の有機水溶液入口から供給する。
【００４７】
第一段の脱水装置１ａにおいては、水分離膜部１０に有機水溶液を供給するとき、シェル部１１を減圧する。このとき、シェル部１１の圧力が、１０〜１００ｔｏｒｒ（１３３３．２２〜１３３３２．２Ｐａ）程度となるように減圧することが好ましい。水分離膜の供給側と透過側の差圧により分離を促進するためである。減圧は、シェル部１１下方に設けた真空ダクト１４より行う。
【００４８】
有機水溶液は、水分離膜部１０の下から上へ流路１０ｃを流れる。このあいだに、有機水溶液中の水が、分離膜１０ｄを介してシェル部１１へ水蒸気５１として取り出される。水の気化により有機水溶液は、随時気化熱を奪われる。したがって、出口１０ｂから流出する有機水溶液は、温度が供給時よりわずかに低下し、かつ、含有水濃度も低下したものとなっている。
【００４９】
シェル部１１へ放出された水蒸気５１は、シェル部１１の上方から下方へと対流する。これは、シェル部１１下方から減圧吸引しているためである。水蒸気５１は、図２Ｂに示すように、ダクト１４に向かって対流し、ダクト１４から回収される。回収された水蒸気５１は、その後段で、図示しない熱交換器等の冷却器で凝縮される。なお、本実施形態で記載した減圧吸引の位置や対流の向きは一例であって、このような態様に限定されるものではない。他の例としては、水蒸気が下方から上方へと対流して、有機水溶液と並流する態様も挙げることができる。
【００５０】
第一段の脱水装置１ａを経た有機水溶液は、予熱器等を経ることなく第二段の脱水装置１ｂに供給される。このとき、有機水溶液の温度は、リサイクル比にもよるが、リサイクル比が、約１〜５の場合、約４７〜７５℃、有機水溶液中にしめるエタノール濃度が、約９６〜９８．５％となっている。第二段の脱水装置１ｂにおいては、第一段の脱水装置１ａと同様に、脱水処理が行われ、水５１が減圧装置により排出され、脱水がさらに進んだ有機水溶液が脱水装置１ｂから排出される。
【００５１】
第二段の脱水装置１ｂを経た有機水溶液は、予熱器等を経ることなく第三段の脱水装置１ｃに供給される。第三段の脱水装置１ｃに供給される有機水溶液の温度は、リサイクル比にもよるが、サイクル比が、約１〜５の場合、約４８〜７６℃であり、有機水溶液中にしめるエタノール濃度が、約９７．５〜９９．３％となっている。第三段の脱水装置１ｃにおいては、第一段の脱水装置１ａ、第二段の脱水装置１ｂと同様に、脱水処理が行われ、脱水がさらに進んだ有機水溶液が脱水装置１ｃから排出される。第三段の脱水装置１ｃの出口での有機水溶液の温度は、リサイクル比にもよるが、リサイクル比が、約１〜５の場合、約５０〜７９℃であり、有機水溶液中にしめるエタノール濃度が、約９８．６〜９９．６％である。
【００５２】
脱水装置１ｃから排出された有機水溶液は、一部が後段の冷却器４によって、約３５℃以下にまで冷却され、製品５２となる。残部は、リサイクル有機水溶液５３として、予熱器３の前段に返送される。製品５２となる有機水溶液と、リサイクル有機水溶液５３との比率は、前述のリサイクル比から決定することができる。
【００５３】
リサイクル有機水溶液５３は、三段の脱水装置１ａ、１ｂ、１ｃにおける水分離工程を経て、リサイクル比にもよるが、エタノールが約５０〜７９％にまで濃縮され、温度が約９８．６〜９９．６℃となっている。リサイクル水溶液５３は、返送手段６を構成する管とリサイクルポンプ５とにより、予熱器３の前段に返送される。
【００５４】
なお、本実施形態で挙げた各段階での温度やエタノール濃度は一例であり、温度、濃度は膜性能により変わってくるため、これらの値に限定されるものではない。
また、本実施の形態においては、三段の脱水装置を用いたシステム及び方法について記載したが、本発明は、三段の脱水装置を用いたシステム及び方法に限定されるものではない。所望の製品濃度に応じて、例えば、二段の脱水装置を含む脱水システムとすることもできるし、四段から十段、あるいはそれ以上の段数の脱水装置を含む脱水システムとすることもできる。
【００５５】
図１に示す本実施の形態にかかる方法によれば、高温のリサイクル有機水溶液５３を原料となる有機水溶液５０と混合することにより、ワンパス方式の場合と比較して、流量が増加し、予熱器３、脱水装置１ａ、１ｂ、１ｃに供給される熱量が大きくなる。供給される熱量の増加幅に対し、水分離膜の透過で奪われる潜熱の増加幅は小さいため、脱水装置における有機水溶液の温度の低下を抑制することができるという利点がある。
また、流速を増加させることは、水分離膜内での濃度分極の抑制につながる。水分離膜内での濃度分極とは、管状の水分離膜内で、管の中心部分の水分濃度が高く、分離膜近傍では水分濃度が低くなり、水分離膜の透過性能が低下する現象をいう。本実施形態にかかる脱水システムによれば、処理済の有機水溶液のリサイクルをおこなわずにワンパス方式で有機水溶液を流したときと比較して、リサイクル比が約４から約９の場合、流速を約５倍から約１０倍にまで上げることができる。
さらに、リサイクル有機水溶液と原料の有機水溶液を混合した有機水溶液５４を、第一段の脱水装置に供給するため、第一段の脱水装置に供給される溶液中の水分濃度が、原料の有機水溶液よりも低くなっている。この場合、各脱水装置に供給される有機水溶液中の水分濃度幅が小さくなり、各脱水装置の水分離膜の劣化度合いを均一化することができるという利点がある。
さらにまた、予熱器を第二段以降の脱水装置の前段に配置しなくてもよく、システム全体のエネルギー効率に優れているという利点がある。
また、リサイクルに要するリサイクルポンプの動力は、リサイクル有機水溶液と同様の熱量を脱水装置前段の予熱器で供給するための動力と比較して、リサイクル比が５倍、差圧２０ｍ、ポンプ効率５０％で計算した場合、１／１００である。よって、この点においてもシステム全体のエネルギー効率に優れていると言える。
【００５６】
図５に、本発明に係る脱水システムの第二実施形態を示す。
図５に示す脱水システムは、主たる構成要素として、三つの脱水装置１ａ、１ｂ、１ｃと、原料ポンプ２と、二つの予熱器３ａ、３ｂと、冷却器４と、リサイクルポンプ５を備える返送手段６ａとから構成される。
【００５７】
図５に示す脱水システムにおいて、図示しない原料供給装置の後段に原料ポンプ２が配置され、原料ポンプ２の後段には予熱器３ａが配置される。予熱器３ａの後段には第一段の脱水装置１ａが配置される。第一段の脱水装置１ａの後段には、第二の予熱器３ｂが配置され、さらにその後段には第二段の脱水装置１ｂが配置される。第二段の脱水装置１ｂの後段には、第三段の脱水装置１ｃが直列に接続される。第二段の脱水装置１ｂと第三段の脱水装置１ｃとの間には予熱器は配置されない。第三段の脱水装置１ｃの後段で、第三段の脱水装置１ｃから引き出される管は二つに分岐している。一方の管の後段には、冷却器４が配置される。もう一方の管は、返送手段６ａである。返送手段６ａは、第一段の脱水装置１ａと第二の予熱器３ｂとを接続する管に接続される。返送手段６には、リサイクルポンプ５が設置されている。
【００５８】
本実施形態においては、第一段の脱水装置１ａと、第二段の脱水装置１ｂとの間に第二の予熱器３ｂが配置されている点、及び返送手段６ａが第一段の脱水装置１ａと第二の予熱器３ｂとを接続する管に接続される点で第一実施形態と異なる。第二の予熱器３ｂは、第一の予熱器３ａと同様のものであってよく、同一の装置を用いることができる。
【００５９】
次に、図５に示す脱水システムを用いた脱水方法について説明する。第二実施形態にかかる脱水方法は、有機水溶液を通すための上下に延びる一以上の流路を有する水分離膜の下部入口から上部出口に向けて予熱された有機水溶液を流し、該水分離膜の外側を減圧して、該有機水溶液中の水分を水分離膜に透過させる水分離工程を含む脱水方法であって、三回の水分離工程を経た有機水溶液の一部を、二回の水分離工程を経た有機水溶液と混合する工程と、混合された有機水溶液を予熱する工程と、予熱された有機水溶液を再度、少なくとも二回の水分離工程に供する工程とを含む。
【００６０】
本実施の形態に係る脱水方法において、原料となる有機水溶液及びその濃度は第一実施形態と同じであるため、説明を省略する。９５ｗｔ％のエタノールと、５ｗｔ％の水との混合物である原料の有機水溶液５０は、原料ポンプ２により、図示しない供給元より搬送される。原料の有機水溶液５０は、予熱器３ａで昇温する。昇温後の有機水溶液の温度は、エタノールと水との共沸点に近いが共沸点（約８０℃）未満である７０℃から８０℃未満とすることが好ましい。予熱器３ａで昇温した有機水溶液は、第一段の脱水装置１ａに、水分離膜部１０の有機水溶液入口から供給する。このときの、有機水溶液の濃度は、原料と同じである。有機水溶液の水分離膜部への供給流速は、透過フラックスとの関係で、当業者が適宜決定することができる。
【００６１】
第一段の脱水装置１ａにおける有機水溶液の水分離工程は、第一実施形態と同様であるため、説明を省略する。第一段の脱水装置１ａを経た有機水溶液５５は、第二段の予熱器３ｂの前段で、供給手段６ａからのリサイクル有機水溶液５３と混合される。第一段の脱水装置１ａを経た有機水溶液と、リサイクル有機水溶液５３との混合比は、リサイクル比により決定される。リサイクル比は、所望の製品５２濃度、各脱水装置１ａ、１ｂ、１ｃの出口における有機水溶液温度、及び全体のエネルギー効率から、当業者が適宜決定することができ、例えば、１〜５とすることができるが、これらには限定されない。
【００６２】
混合された有機水溶液５６は、第二段の予熱器３ｂで昇温される。第二段の予熱器３ｂで昇温した有機水溶液は、第二段の脱水装置１ｂに、水分離膜部１０の有機水溶液入口から供給する。有機水溶液の水分離膜部への供給流速は、リサイクル比等との関係で、当業者が適宜決定することができる。また、第二段の脱水装置１ｂに供給される有機水溶液中のエタノール濃度もリサイクル比によって変わりうる値である。
【００６３】
第二段の脱水装置１ｂ、第三段の脱水装置１ｃにおける水分離工程、および第三段の脱水装置１ｃを経たリサイクル有機水溶液の分流は、第一実施形態と同様であるため、説明を省略する。
【００６４】
なお、第二実施の形態においては、三段の脱水装置を用いたシステム及び方法について記載したが、本発明は、三段の脱水装置を用いたシステム及び方法に限定されるものではない。所望の製品濃度に応じて、例えば、四段の脱水装置を含む脱水システムとすることもできるし、五段から十段の脱水装置を含む脱水システムとすることもできる。例えば、四段の脱水装置を含む脱水システムにおいては、第四段の脱水装置出口の有機水溶液をリサイクル有機水溶液として、第二段の脱水装置に返送するシステムとすることもできる。この場合、リサイクル水溶液は第二段の脱水装置の前段で予熱器により予熱する。また、第四段の脱水装置出口の有機水溶液をリサイクル有機水溶液として、第三段の脱水装置に返送するシステムとすることもできる。この場合、リサイクル水溶液は第三段の脱水装置の前段で予熱器により予熱する。
五段以上の脱水装置を含む脱水システムにおいても、同様に最後段の脱水装置から排出される有機水溶液を、二段目以降の任意の段の脱水装置に返送するような返送手段を設けた脱水システムとすることができる。
【００６５】
第二実施形態によれば、第三段目の脱水装置を経たリサイクル有機水溶液を第二段目の脱水装置の前段に返送することで、リサイクル有機水溶液と、第一段目の脱水装置である程度の脱水がなされた高濃度の有機水溶液とが混合されることになる。これは、リサイクル比を下げることができ、リサイクルポンプ５の動力が小さくて済むというメリットがある。
【００６６】
図６に、本発明に係る脱水システムの第三実施形態を示す。
図６に示す脱水システムは、主たる構成要素として、三つの脱水装置１ａ、１ｂ、１ｃと、原料ポンプ２と、三つの予熱器３ａ、３ｂ、３ｃと、冷却器４と、リサイクルポンプ５を備える送手段６ｂとから構成される。
【００６７】
図６に示す脱水システムにおいて、図示しない原料供給装置の後段に原料ポンプ２が配置され、原料ポンプ２の後段には予熱器３ａが配置される。予熱器３ａの後段には第一段の脱水装置１ａが配置される。第一段の脱水装置１ａの後段には、第二の予熱器３ｂが配置され、さらにその後段には第二段の脱水装置１ｂが配置される。第二段の脱水装置１ｂの後段で、第二段の脱水装置１ｂから引き出される管は二つに分岐している。分岐した一方の管の後段には、第三の予熱器３ｃが配置され、さらにその後段には第三段の脱水装置１ｃが配置される。第三段の脱水装置１ｃの後段には、冷却器４が配置される。分岐した他方の管は、返送手段６ｂである。返送手段６ｂは、第一段の脱水装置１ａと第二の予熱器３ｂとを接続する管に接続される。返送手段６ｂには、リサイクルポンプ５が設置されている。
【００６８】
本実施形態においては、第二段の脱水装置１ｂと、第三段の脱水装置１ｃとの間に第三の予熱器３ｃが配置されている点、及び返送手段６ｂが第二段の脱水装置１ｂの後段から分岐している点で第二実施形態と異なる。第三の予熱器３ｃは、第一の予熱器３ａ、第二の予熱器３ｂと同様のものであってよく、同一の装置を用いることができる。
【００６９】
次に、図６に示す脱水システムを用いた脱水方法について説明する。第三実施形態にかかる脱水方法は有機水溶液を通すための上下に延びる一以上の流路を有する水分離膜の下部入口から上部出口に向けて予熱された有機水溶液を流し、該水分離膜の外側を減圧して、該有機水溶液中の水分を水分離膜に透過させる水分離工程を含む脱水方法であって、二回の水分離工程を経た有機水溶液の一部を、一回の水分離工程を経た有機水溶液と混合する工程と、混合された有機水溶液を予熱する工程と、予熱された有機水溶液を再度、少なくとも二回の水分離工程に供する工程とを含む。
【００７０】
本実施の形態に係る脱水方法において、原料となる有機水溶液及びその濃度は第一実施形態と同じであるため、説明を省略する。９５ｗｔ％のエタノールと、５ｗｔ％の水との混合物である原料の有機水溶液５０は、原料ポンプ２により、図示しない供給元より搬送される。原料の有機水溶液５０は、予熱器３ａで昇温する。昇温後の有機水溶液の温度は、エタノールと水との共沸点に近いが共沸点（約８０℃）未満である７０℃から８０℃未満とすることが好ましい。予熱器３ａで昇温した有機水溶液は、第一段の脱水装置１ａに、水分離膜部１０の有機水溶液入口から供給する。このときの、有機水溶液の濃度は、原料と同じである。有機水溶液の水分離膜部への供給流速は、透過フラックスとの関係で、当業者が適宜決定することができる。
【００７１】
第一段の脱水装置１ａにおける有機水溶液の水分離工程は、第一実施形態と同様であるため、説明を省略する。第一段の脱水装置１ａを経た有機水溶液５５は、第二段の予熱器３ｂの前段で、供給手段６ｂからのリサイクル有機水溶液５３と混合される。第一段の脱水装置１ａを経た有機水溶液と、リサイクル有機水溶液５３との混合比は、リサイクル比により決定される。リサイクル比は、所望の製品５２濃度、各脱水装置１ａ、１ｂ、１ｃの出口における有機水溶液温度、及び全体のエネルギー効率から、当業者が適宜決定することができ、例えば、１〜５とすることができるが、これらには限定されない。
【００７２】
混合された有機水溶液５７は、第二段の予熱器３ｂで昇温する。第二段の予熱器３ｂで昇温した有機水溶液は、第二段の脱水装置１ｂに、水分離膜部１０の有機水溶液入口から供給する。有機水溶液の水分離膜部への供給流速は、リサイクル比によって適宜決定される。また、第二段の脱水装置１ｂに供給される有機水溶液中のエタノール濃度もリサイクル比によって変わりうる値である。
【００７３】
第二段の脱水装置１ｂを経た有機水溶液は、第二段の脱水装置１ｂの後段で、リサイクル有機水溶液５３と、第三段の脱水装置１ｃに供給する有機水溶液５８とに分けられる。このときの比率は、前述のリサイクル比から決定される。リサイクル有機水溶液５３は、返送手段６ｂにより、第二段の予熱器３ｂの前段へ戻される。第三段の脱水装置１ｃに供給する有機水溶液５８は第三段の予熱器３ｃで昇温された後、第三段の脱水装置１ｃに供給する。第三段の脱水装置１ｃにおける水分離工程、および第三段の脱水装置１ｃを経た製品となる有機水溶液５２については、第一実施形態と同様であるため、説明を省略する。
【００７４】
なお、第三実施の形態においては、三段の脱水装置を用いたシステム及び方法について記載したが、本発明は、三段の脱水装置を用いたシステム及び方法に限定されるものではない。所望の製品濃度に応じて、例えば、四段の脱水装置を含む脱水システムとすることもできるし、五段から十段の脱水装置を含む脱水システムとすることもできる。例えば、四段の脱水装置を含む脱水システムにおいては、第三段の脱水装置出口の有機水溶液をリサイクル有機水溶液として、第二段の脱水装置に返送するシステムとすることもできる。この場合、リサイクル水溶液は第二段の脱水装置の前段で予熱器により予熱する。そして、第三段の脱水装置の前段でも、有機水溶液を予熱器により予熱する。また、別の形態として、第三段の脱水装置出口の有機水溶液をリサイクル有機水溶液として、第三段の脱水装置に返送するシステムとすることもできる。この場合、リサイクル水溶液は第三段の脱水装置の前段で予熱器により予熱する。そして、第四段の脱水装置の前段でも、有機水溶液を予熱器により予熱する。
五段以上の脱水装置を含む脱水システムにおいても、同様に四段目以前の任意の段の脱水装置を、四段目以前であって二段目以降の任意の段の脱水装置に返送するような返送手段を設けた脱水システムとすることができる。
【００７５】
第三実施形態によれば、第二段目の脱水装置３ｂを経たリサイクル有機水溶液を第二段目の脱水装置３ｂの前段に返送することにより脱水効率の向上が可能となる。
【００７６】
図７に、本発明に係る脱水システムの第四実施形態を示す。
図７に示す脱水システムは、主たる構成要素として、一つの脱水装置１ｄと、原料ポンプ２と、一つの予熱器３と、冷却器４と、リサイクルポンプ５を備える返送手段６ｃとから構成される。
【００７７】
本実施形態に係る脱水システムは、一つの脱水装置のみを設けるものであって、多段の脱水装置を設けるものではない点で、第一から第三実施形態の脱水システムとは異なる。そして、本実施形態において用いる脱水装置１ｄは、第一から第三実施形態で用いる脱水装置と比較して、大型の脱水装置である。ここで、大型の脱水装置とは、通常用いられる脱水装置を約１０段から２０段、直列に接続したのと同程度の膜長さを有する脱水装置をいう。
【００７８】
返送手段６ｃは、脱水装置１ｄの後段で分岐して、原料ポンプ２と予熱器３との間に接続される。原料ポンプ２、予熱器３、冷却器４、リサイクルポンプ５は他の実施形態と同様であるため、説明を省略する。
【００７９】
次に、第四実施形態における脱水方法は、有機水溶液を通すための上下に延びる一以上の流路を有する水分離膜の下部入口から上部出口に向けて予熱された有機水溶液を流し、該水分離膜の外側を減圧して、該有機水溶液中の水分を水分離膜に透過させる水分離工程を含む脱水方法であって、一回の水分離工程を経た有機水溶液の少なくとも一部を、未処理の有機水溶液と混合する工程と、混合された有機水溶液を予熱する工程と、予熱された有機水溶液を再度水分離工程に供する工程とを含む。
【００８０】
原料の有機水溶液５０は、リサイクル有機水溶液５３と混合した後、予熱器３で加熱して、脱水装置１ｄに供給する。原料の有機水溶液５０と、リサイクル有機水溶液５３との混合比は、リサイクル比により決定される。リサイクル比は、所望の製品５２濃度、脱水装置１ｄの出口における有機水溶液温度、及び全体のエネルギー効率から、当業者が適宜決定することができ、例えば、１〜５とすることができるが、これらには限定されない。混合された有機水溶液５４は、脱水装置１ｄに供給され、脱水が行われる。脱水装置から排出された有機水溶液の一部は冷却され、製品５２となる。残りは、リサイクル有機水溶液５３として、返送手段６ｃにより、予熱器３の前段に返送される。
【００８１】
本実施形態においては、返送手段６ｃにより、リサイクル有機水溶液５３を、原料の有機水溶液５０と混合することで、脱水装置１ｄに供給することができる熱量が大きくなる。このため、大型の脱水装置を用いても、供給する熱量に対して、水の分離時における潜熱が小さいため、水分離膜後段における温度低下を防止することができる。言い換えれば、有機水溶液のリサイクルにより、脱水装置に供給される熱量が、水分離による蒸発潜熱よりも十分に大きくすることができるようになり、脱水装置自体を大きくすることができたのである。
【００８２】
第四実施形態によれば、複数設置していた脱水装置を一つの大型脱水装置とすることで、配管の簡略化、熱交換器等の機器の削減が可能になるという効果が得られる。
【００８３】
［１］  第一の予熱器と、
該予熱器の後段に直列に接続された、有機水溶液から水を分離する複数の脱水装置であって、脱水装置本体内に、有機水溶液を通すための上下に延びる一以上の流路を有する水分離膜の下部に有機水溶液入口を、上部に有機水溶液出口を有してなる水分離膜部と、該水分離膜部の外側面と、装置本体内壁とで規定されるシェル部とを備え、該有機水溶液が該水分離膜を上昇するにつれて、該有機水溶液中の水分が、該水分離膜を透過してシェル部に移動し、該有機水溶液が脱水される脱水装置と、
一以上の脱水装置を経た有機水溶液の一部を、該脱水装置、または該脱水装置の前段の脱水装置に返送する返送手段と、
該返送手段により返送された有機水溶液を脱水装置に供給する前に予熱する第二の予熱器と
を含んでなる脱水システム。
［２］  前記返送手段が、最後段の脱水装置を経た有機水溶液の一部を、最前段の脱水装置に返送する手段であり、前記第一の予熱器が前記第二の予熱器を兼ねる、上記［１］に記載の脱水システム。
［３］  前記直列に接続される脱水装置が三以上であり、前記返送手段が、最後段の脱水装置を経た有機水溶液の一部を、最前段以降の脱水装置に返送する手段であり、前記第二の予熱器が、該最前段以降の脱水装置の前段に設置されている、上記［１］に記載の脱水システム。
［４］  前記直列に接続される脱水装置が三以上であり、前記返送手段が、最後段以前の脱水装置を経た有機水溶液の一部を、最前段以降の脱水装置に返送する手段であり、前記第二の予熱器が、該最前段以降の脱水装置の前段に設置されており、かつ、前記最後段以前の脱水装置が、前記最前段以降の脱水装置よりも後段にある、上記［１］に記載の脱水システム。
［５］  有機水溶液を予熱する予熱器と、
予熱された有機水溶液から水を分離する脱水装置であって、脱水装置本体内に、有機水溶液を通すための上下に延びる一以上の流路を有する水分離膜の下部に有機水溶液入口を、上部に有機水溶液出口を有してなる水分離膜部と、該水分離膜部の外側面と、装置本体内壁とで規定されるシェル部とを備え、該有機水溶液が該水分離膜を上昇するにつれて、該有機水溶液中の水分が、該水分離膜を透過してシェル部に移動し、該有機水溶液が脱水される脱水装置と、
該脱水装置を経た有機水溶液の一部を、該予熱器の前段に返送する返送手段と
を含んでなる脱水システム。
［６］  有機水溶液を通すための上下に延びる一以上の流路を有する水分離膜の下部入口から上部出口に向けて予熱された有機水溶液を流し、該水分離膜の外側を減圧して、該有機水溶液中の水分を水分離膜に透過させる水分離工程を含む脱水方法であって、
一回以上の水分離工程を経た有機水溶液の少なくとも一部を、該有機水溶液より少ない回数の水分離工程を経た有機水溶液又は未処理の有機水溶液と混合する工程と、
混合された有機水溶液を予熱する工程と、
予熱された有機水溶液を再度水分離工程に供する工程と
を含む脱水方法。
【符号の説明】
【００８４】
１、１ａ、１ｂ、１ｃ、１ｄ  脱水装置
２                          原料ポンプ
３                          予熱器
４                          冷却器
５                          リサイクルポンプ
６                          返送手段
１０、１１０、２１０        水分離膜部
１０ａ、１１０ａ、２１０ａ  有機水溶液の入口
１０ｂ、１１０ｂ、２１０ｂ  有機水溶液の出口
１０ｃ、１１０ｃ、２１０ｃ  流路
１０ｄ、１１０ｄ、２１０ｄ  水分離膜
１１                        シェル部
１３                        減圧装置
１４                        ダクト
１９                        熱交換器
５０                        有機水溶液
５１                        水蒸気
５２                        製品
５３                        リサイクル有機水溶液
【図１】
2013240795.tif 000003
【図２】
2013240795.tif 000004
【図３】
2013240795.tif 000005
【図４】
2013240795.tif 000006
【図５】
2013240795.tif 000007
【図６】
2013240795.tif 000008
【図７】
2013240795.tif 000009
【図８】
2013240795.tif 000010
【図９】
2013240795.tif 000011
【図１０】
2013240795.tif 000012